(57)【要約】      （修正有）【課題】結合金具の種類を１種類のみとし、かつ高さを調整により種々のサイズの筋交いの結合を可能とした支保工装置を提供する。【解決手段】支柱１と、該支柱１間に設けられる繋ぎ材２および筋交い３とを備えた支保工装置であって、支柱１は、メイン支柱１aと、該メイン支柱１aにスライド可能に挿入され、ジョイントロック部材４により所望高さにロックされるスライド支柱１ｂとからなり、メイン支柱１a又はスライド支柱１ｂに、上下方向の受け孔付きのホルダを備えた結合金具８を取り付け、繋ぎ材２の両端に取り付けられたくさびを受け孔に嵌合させて繋ぎ材２を支柱１に結合する。【選択図】図１
0003168096.tif 000002
【実用新案登録請求の範囲】
【請求項１】
支柱と、該支柱間に設けられる繋ぎ材および筋交いとを備えた支保工装置であって、
前記支柱は、メイン支柱と、該メイン支柱にスライド可能に挿入され、ジョイントロック部材により所望高さにロックされたスライド支柱とからなり、
前記メイン支柱又はスライド支柱に、受け孔付きのホルダを備えた結合金具を取り付け、
前記繋ぎ材の両端に取り付けられたくさびを前記受け孔に嵌合させて前記繋ぎ材を前記支柱に結合したことを特徴とする支保工装置。
【請求項２】
前記筋交いを結合する金具本体に前記受け孔に挿入される係止部材を設け、前記金具本体にスライド可能に挿入して前記ホルダを挟持する挟持部材を前記金具本体に取り付けたことを特徴とする請求項１記載の支保工装置。
【請求項３】
前記ジョイントロック部材は、前記メイン支柱の外周に嵌合されるばねからなるクランプ部材と、前記メイン支柱およびスライド支柱に形成されたロック孔に挿入するロックピンとを備えたことを特徴とする請求項１又は２記載の支保工装置。
【考案の詳細な説明】
【技術分野】
【０００１】
本考案は、建設工事に使用される支保工装置に関し、特に、パイプからなる支柱の高さ調整を簡単に行えるようにした支保工装置に関する。
【背景技術】
【０００２】
支保工装置は、各種建物や土木等の建設工事に使用されるものであって、アルミパイプからなる縦方向の支柱、横方向の繋ぎ材（手摺）および斜め方向の筋交い等を結合金具で結合して梯子状あるいはやぐら状に構成される。結合金具は、固定金具と自在金具があり、サイズも支柱に合わせて２種類必要としている。繋ぎ材を結合する固定金具は、繋ぎ材に取り付けたくさび状のブラケットを受けるインサート部材を備えたものがある（例えば特許文献１を参照）。
【先行技術文献】
【特許文献】
【０００３】
【特許文献１】特開２００６−１６９９１９号公報
【考案の概要】
【考案が解決しようとする課題】
【０００４】
従来の支保工装置では、支柱を高くするには、別部材の支柱を上部に繋いでいくことにより行っている。このため、種々のサイズの支柱を用意する必要があり、部品点数が多くなるとともに、支柱の高さ調整に時間とコストがかかり、さらには、結合金具の位置も固定的であるため、筋交いサイズによっては筋交いが結合できなくなることがあった。
【０００５】
本考案は上記のような課題を解決するもので、支柱の高さ調整を簡単に行えるとともに、結合金具の高さ調整により種々のサイズの筋交いの結合を可能とした支保工装置を提供することを目的とする。
【課題を解決するための手段】
【０００６】
請求項１記載の支保工装置は、支柱と、該支柱間に設けられる繋ぎ材および筋交いとを備えた支保工装置であって、前記支柱は、メイン支柱と、該メイン支柱にスライド可能に挿入され、ジョイントロック部材により所望高さにロックされたスライド支柱とからなり、前記メイン支柱又はスライド支柱に、受け孔付きのホルダを備えた結合金具を取り付け、前記繋ぎ材の両端に取り付けられたくさびを前記受け孔に嵌合させて前記繋ぎ材を前記支柱に結合したことを特徴とする。
【０００７】
請求項２記載の支保工装置は、請求項１記載の支保工装置であって、前記筋交いを結合する金具本体に前記受け孔に挿入される係止部材を設け、前記金具本体にスライド可能に挿入して前記ホルダを挟持する挟持部材を前記金具本体に取り付けたことを特徴とする。
【０００８】
請求項３記載の支保工装置は、請求項１又は２記載の支保工装置であって、前記ジョイントロック部材は、前記メイン支柱の外周に嵌合されるばねからなるクランプ部材と、前記メイン支柱およびスライド支柱に形成されたロック孔に挿入するロックピンとを備えたことを特徴とする。
【考案の効果】
【０００９】
本考案によれば、メイン支柱にスライド可能に挿入されたスライド支柱により支柱の高さ調整を簡単に行えるとともに、結合金具の高さを変えられるため、種々のサイズの筋交いの結合が可能となり、１種類の結合金具のみで繋ぎ材および筋交いの結合が可能となる。
【図面の簡単な説明】
【００１０】
【図１】本考案の支保工装置の正面図である。
【図２】図１の側面図である。
【図３】ジョイントロック部材の側面図である。
【図４】図３のＣ−Ｃ線断面図である。
【図５】図１のＡ部分の拡大斜視図である。
【図６】図１のＢ部分の拡大斜視図である。
【図７】図１のＢ部分の拡大側面図である。
【考案を実施するための形態】
【００１１】
以下、本考案の支保工装置の実施の形態を図面に基づいて説明する。
図１は、支保工装置の正面図、図２は図１の右側面図である。
支保工装置は、縦方向を向く支柱１と、横方向を向く繋ぎ材２と、斜め方向を向く筋交い３とにより構成されている。支柱１は、下部に設けられたメイン支柱１aと、このメイン支柱１aより径が小さく、メイン支柱１aにスライド可能に挿入されたスライド支柱１ｂとにより構成されている。メイン支柱１aとスライド支柱１ｂはジョイントロック部材４により結合されている。
【００１２】
図３、図４に、ジョイントロック部材４の構成を示している。ジョイントロック部材４は、略半円形のばねからなるクランプ部材５と、クランプ部材５の内部中央に固着され、開口部より突出するロックピン６からなる。メイン支柱１aの上端部にロック孔７aが、スライド支柱１ｂには所定間隔をおいてロック孔７ｂが形成されており、メイン支柱１aおよびスライド支柱１ｂの各々のロック孔７a、７ｂを合致させてそのロック孔７a、７ｂにロックピン６を挿入するとともに、クランプ部材５でメイン支柱１aの外周をクランプする。これにより、スライド支柱１ｂは所定の高さ位置に固定される。
【００１３】
図５は、図１のＡ部分の拡大図である。
図５において、結合金具８は、スリーブ９の外周の４箇所に、上下方向の受け孔１０を有する平面円弧状のホルダ１１、１１´が固着されている。スリーブ９を挟んで対向するホルダ１１、１１は同一高さであり、これに隣接するホルダ１１´、１１´は高さが低い段違いとしている。これにより、結合する繋ぎ材２どうし、および筋交い３が干渉しないようになっている。スリーブ９はメイン支柱１aはスライド支柱１ｂに溶接等により固着されている。
【００１４】
繋ぎ材２の端部にはくさび部材１２が固着されている。このくさび部材１２を結合金具８の受け孔１０に上方から差し込むことにより、繋ぎ材２は結合金具８を介してスライド支柱１ｂおよびメイン支柱１aに結合される。
【００１５】
図６は、図１のＢ部分の拡大図である。
図６において、筋交い結合金具１４は、上記結合金具８に結合されるものである。筋交い結合金具１４は、本体部１５と、係止部材１６と、挟持部材１７とにより構成されている。
【００１６】
本体部１５は、後板１８の両側に平行をなす側板１９が形成されたものである。係止部材１６は、後部に切欠溝２０が形成されたもので、一方の側板１９の内面に固着されている。挟持部材１７は、後部にテーパ面１７aを有する板状のものである。
【００１７】
筋交い３を側板１９の後部に軸２２を介して取り付け、係止部材１６をホルダ１１´の受け孔１０に挿入し、挟持部材１７を側板１９の前部に挿入すると、テーパ面１７aが側板１９の内部に設けたガイド板２１にガイドされて挟持部材１７は前方に押され、係止部材１６と挟持部材１７とによりホルダ１１´を挟持する。筋交い結合金具１４が上方に移動し、ホルダ１１´から離脱しようとすると、切欠溝２０がホルダ１１´に係止するため、離脱することが防止される。
【００１８】
図１に示すように、メイン支柱１aの下端部には、ねじ式のジャッキ２５が設けられ、回転操作により支柱１の高さを調整し得るようになっている。
【００１９】
スライド支柱１ｂのロック孔７ｂを選択してジョイントロック部材４でメイン支柱１aにジョイントすることにより、支柱１の高さを簡単に延長させることができるとともに、結合部材８の高さも変えられるので、筋交い３のサイズに適応させることができる。したがって、１種類の結合部材８で種々のサイズの筋交い３を結合することができる。なお、ロック孔７の間隔を小さくすることにより、支柱１の高さ精度を任意に設定することができる。
【００２０】
本考案の支保工装置は、建設工事現場に使用されるとともに、地震等の災害により、建物がその構造にダメージを受けて、余震の影響や自重によりさらに崩落、倒壊するなどの二次災害の危険性があるとき、二次倒壊を未然に防ぐ目的で、ダメージを受けた外壁、天井、或は、窓、ドアなどの開口部を支柱組みで支え、当該建物のダメージを受けた部位を安定化させるショアリング装置と呼ばれる構造物としても使用される。
【図１】
0003168096.tif 000003
【図２】
0003168096.tif 000004
【図３】
0003168096.tif 000005
【図４】
0003168096.tif 000006
【図５】
0003168096.tif 000007
【図６】
0003168096.tif 000008
【図７】
0003168096.tif 000009